(57)【要約】【目的】番組予約が重複した場合において、ユーザにとって望ましい予約実行を行うことができるディジタル放送受信装置を提供する。【構成】ユーザは、リモコン送信機１５を用い、優先順位設定画面上でジャンルに優先順位を与えることができ、また、ＥＰＧ画面上で番組の録画予約処理や視聴予約処理を行なうことができる。予約処理が行なわれたとき、ＣＰＵ１９はその番組の予約情報として放送開始時間等の他に当該番組のジャンル情報に基づいて前記優先順位を判定して設定する。イベントリレー等によってリレー先番組と既存の予約番組との放送時間が重複することとなったとき、視聴予約であればメッセージ表示を行なってユーザに番組を選択させ、録画予約であれば、優先順位が高い方の番組を予約対象番組として自動的に選局して処理する。【選択図】図１
2004208148.tif 000002
【特許請求の範囲】
【請求項１】
ユーザによって指定された番組をその放送時に予約実行する機能を備えたディジタル放送受信装置において、ユーザ操作によって予め番組ジャンルに対して予約優先順位を与えておく手段と、ユーザによって予約指定された番組の予約優先順位をその番組ジャンルに基づいて設定する手段と、放送時間が重複する複数の番組について予約がなされた場合に、予約番組が重複して存在すること及び重複番組の予約優先関係を示したメッセージを表示すると共にユーザによって選択された番組の方を予約対象番組として処理する手段と、を備えたことを特徴とするディジタル放送受信装置。
【請求項２】
ユーザによって指定された番組をその放送時に予約実行する機能を備えたディジタル放送受信装置において、ユーザ操作によって予め番組ジャンルに対して予約優先順位を与えておく手段と、ユーザによって予約指定された番組の予約優先順位をその番組ジャンルに基づいて設定する手段と、番組延長又はイベントリレーによって放送時間が重複する複数の予約番組が存在することとなった場合に、予約番組が重複して存在すること及び重複番組の予約優先関係を示したメッセージを表示すると共にユーザによって選択された番組の方を予約対象番組として処理する手段と、を備えたことを特徴とするディジタル放送受信装置。
【請求項３】
請求項１又は請求項２に記載のディジタル放送受信装置において、一定時間内にユーザによる番組選択がなされなかった場合に、優先順位が高い方の番組を自動的に選択して予約対象番組として処理するように構成されたことを特徴とするディジタル放送受信装置。
【請求項４】
ユーザによって指定された番組をその放送時に予約実行する機能を備えたディジタル放送受信装置において、ユーザ操作によって予め番組ジャンルに対して予約優先順位を与えておく手段と、ユーザによって予約録画指定された番組の予約優先順位をその番組ジャンルに基づいて設定する手段と、番組延長又はイベントリレーによって複数の録画予約番組について放送時間が重複することとなった場合に、予約優先順位が高い方の番組を優先して受信録画処理を実行する手段と、を備えたことを特徴とするディジタル放送受信装置。
【請求項５】
請求項１乃至請求項４のいずれかに記載のディジタル放送受信装置において、重複する番組のうち予約実行された番組の放送が終了したときに、前記重複する番組のうちの予約実行されなかった予約番組の放送が終了していない場合には、当該番組の残りの部分について予約実行が行われるように構成されたことを特徴とするディジタル放送受信装置。
【発明の詳細な説明】
【０００１】
【産業上の利用分野】
この発明は、ディジタル放送を受信するディジタル放送受信装置に関する。
【０００２】
【従来の技術】
衛星や地上波を用いたディジタル放送を受信するディジタル放送受信装置は、衛星アンテナや地上波アンテナを通して受け取った複数の放送波のなかから任意の放送波をディジタルチューナによって選択し、この選択した放送波に含まれる複数のチャンネルのなかから任意のチャンネルをデマルチプレクス処理によって選択し、この選択したチャンネルのディジタル信号を取り出し、これをデコードすることによって映像・音声信号を出力する。
【０００３】
このようなディジタル放送では、従来のアナログ放送と同様に映像や音声を送信することに加え、番組情報も送信している。この番組情報は、番組名、番組開始時刻、番組継続時間、番組内容情報、番組ジャンル情報などの各種情報を含んでおり、受信装置側ではＯＳＤ（オンスクリーンディスプレイ）機能を用いた電子番組ガイド（Ｅｌｅｃｔｒｏｎｉｃ  Ｐｒｏｇｒａｍ  Ｇｕｉｄｅ）表示機能によって多チャンネル放送のなかからユーザが望む番組を選択することができるようになっている。また、従来より、ディジタル放送受信装置には視聴・録画予約機能が備えられており、放送予定されている番組を例えば前記電子番組ガイド上で選択して予約を行うことができる（特許文献１参照）。
【０００４】
【特許文献１】
特開２００２−２９０８８７号公報
【０００５】
【発明が解決しようとする課題】
ところで、或る番組の放送時間が拡大されると、現在放送が行われているチャンネルで放送時間が延長される場合や、異なるチャンネルにおいて番組の続きが放送される場合（イベントリレーと呼ばれている）があり、例えば、予約実行中の番組においてイベントリレーが実施されると、既に予約登録している他の番組と放送時間が重複してしまうことが生じ得る。このように予約が重複した場合には、イベントリレー等が実施された番組を優先するか既に予約登録している他の番組を優先するかを固定的に決めておくことが考えられるが、これでは必ずしもユーザにとって望ましい予約実行が行なわれることにはならない。
【０００６】
この発明は、上記の事情に鑑み、予約番組の放送時間が重複した場合にユーザにとって望ましい予約実行を行うことができるディジタル放送受信装置を提供することを目的とする。
【０００７】
【課題を解決するための手段】
この発明のディジタル放送受信装置は、上記課題を解決するために、ユーザによって指定された番組をその放送時に予約実行する機能を備えたディジタル放送受信装置において、ユーザ操作によって予め番組ジャンルに対して予約優先順位を与えておく手段と、ユーザによって予約指定された番組の予約優先順位をその番組ジャンルに基づいて設定する手段と、放送時間が重複する複数の番組について予約がなされた場合に、予約番組が重複して存在すること及び重複番組の予約優先関係を示したメッセージを表示すると共にユーザによって選択された番組の方を予約対象番組として処理する手段と、を備えたことを特徴とする。
【０００８】
上記の構成であれば、放送時間が重複する複数番組の予約がなされたときには予約番組が重複して存在すること及び重複番組の予約優先関係を示したメッセージが表示されるので、ユーザの番組選択に関わる判断を助けることができる。更に、ユーザによって選択された番組の方が予約対象番組として処理されるので、ユーザの現在の意向を反映した番組選択（予約実行）が行なわれる。
【０００９】
また、この発明のディジタル放送受信装置は、ユーザによって指定された番組をその放送時に予約実行する機能を備えたディジタル放送受信装置において、ユーザ操作によって予め番組ジャンルに対して予約優先順位を与えておく手段と、ユーザによって予約指定された番組の予約優先順位をその番組ジャンルに基づいて設定する手段と、番組延長又はイベントリレーによって放送時間が重複する複数の予約番組が存在することとなった場合に、予約番組が重複して存在すること及び重複番組の予約優先関係を示したメッセージを表示すると共にユーザによって選択された番組の方を予約対象番組として処理する手段と、を備えたことを特徴とする。
【００１０】
上記の構成であれば、番組延長やイベントリレーによって放送時間が重複する複数番組の予約がなされたこととなったときには予約番組が重複して存在すること及び重複番組の予約優先関係を示したメッセージが表示されるので、ユーザの番組選択に関わる判断を助けることができる。更に、ユーザによって選択された番組の方が予約対象番組として処理されるので、ユーザの現在の意向を反映した番組選択（予約実行）が行なわれる。かかる処理は、予約が予約視聴の場合、或いは、予約録画であっても、テレビＯＮ（映像表示状態）のときにおいて、有効となる。
【００１１】
一定時間内にユーザによる番組選択がなされなかった場合に、優先順位が高い方の番組を自動的に選択して予約対象番組として処理するのがよい。
【００１２】
また、この発明のディジタル放送受信装置は、ユーザによって指定された番組をその放送時に予約実行する機能を備えたディジタル放送受信装置において、ユーザ操作によって予め番組ジャンルに対して予約優先順位を与えておく手段と、ユーザによって予約録画指定された番組の予約優先順位をその番組ジャンルに基づいて設定する手段と、番組延長又はイベントリレーによって複数の録画予約番組について放送時間が重複することとなった場合に、予約優先順位が高い方の番組を優先して受信録画処理を実行する手段と、を備えたことを特徴とする。
【００１３】
上記の構成であれば、番組延長やイベントリレーによって放送時間が重複する複数番組の予約がなされたこととなったときには、ユーザ不在でも予約優先順位が高い方の番組を優先して受信録画処理が実行される。
【００１４】
重複する番組のうち予約実行された番組の放送が終了したときに、前記重複する番組のうちの予約実行されなかった予約番組の放送が終了していない場合には、当該番組の残りの部分について予約実行が行われるように構成されているのがよい。
【００１５】
【発明の実施の形態】
以下、この発明の実施形態を図１乃至図３に基づいて説明するが、ここではユーザがＢＳ（Ｂｒｏａｄｃａｓｔｉｎｇ  Ｓａｔｅｌｌｉｔｅ）ディジタル放送を視聴する場合を例示している。図１はこの実施形態のディジタル放送受信装置３０を示したブロック図であり、図２は電子番組ガイドに対応付けてイベントリレーの発生及び予約重複発生を説明した説明図であり、図３はイベントリレー発生時の予約実行処理を説明したフローチャートである。
【００１６】
図１において、アンテナ１は、屋外において所定の方向に向けて配置されており、ＢＳから送られてくるディジタル放送波を受信する。このアンテナ１は、一般に周波数変換器を備え、受信／周波数変換した信号をチューナ２に与える。
【００１７】
チューナ２は、受信した高周波ディジタル変調信号のうちから特定周波数の信号を取り出す。すなわち、ディジタル放送の複数のトランスポンダのなかから一つを選択する処理を行う。また、チューナ２は、復調回路、逆インタリーブ回路、誤り訂正回路などを備えることにより、選択したディジタル変調信号を復調してトランスポート・ストリームを出力する。
【００１８】
デマルチプレクサ（ＤＥＭＵＸ）３は、チューナ２から出力されるトランスポート・ストリームを、ＭＰＥＧ２（Ｍｏｖｉｎｇ  Ｐｉｃｔｕｒｅ  Ｅｘｐｅｒｔｓ  Ｇｒｏｕｐ２）のビデオストリーム、オーディオストリーム、およびＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）等に分離する。デマルチプレクサ３におけるＴＳデコーダ３ａは、ユーザによって選択された番組を構成するトランスポートストリーム（以下、パーシャルＴＳという）をＣＰＵ１７の指令に基づいて取り出してストリーム記録・再生部４に供給し、ＡＶデコーダ７へはビデオストリーム及びオーディオストリームを供給する。なお、トランスポート・ストリームには複数のチャンネルが多重化されており、このなかから任意のチャンネルを選択するための処理は、前記ＰＳＩ／ＳＩから任意のチャンネルがトランスポート・ストリーム中でどのパケットＩＤで多重化されているかといったデータを取り出すことで可能となる。また、トランスポート・ストリームの選定（トランスポンダの選定）もＰＳＩ／ＳＩの情報に基づいて行うことができる。更に、ＳＩには番組情報（番組名、番組開始時刻、番組継続時間、番組内容情報、番組ジャンル情報等）が含まれている。これらの情報はＣＰＵ１７によって後述するメモリ１８に格納され、ＥＰＧ表示や番組予約等において利用される。
【００１９】
ストリーム記録・再生部４は、外部録画装置（ハードディスクやＭＯ等があるが、この実施形態ではＤ−ＶＨＳとする）３１との間でＩＥＥＥ１３９４インターフェース５を通じてデータや制御信号のやりとりを行い、ＴＳデコーダ３ａから出力されたパーシャルＴＳを外部録画装置３１に書き込み（記録）、また、外部録画装置３１からパーシャルＴＳを読み出すことができる（再生）。勿論、内蔵のハードディスク（図示せず）などに記録するようにしてもよい。
【００２０】
ＡＶデコーダ７は、ビデオストリームに対してデコードを行うビデオデコーダ、及びオーディオストリームに対してデコードを行うオーディオデコーダを備える。ビデオデコーダは、入力された符号化信号を復号して量子化係数や動きベクトルを求め、逆ＤＣＴ変換や動きベクトルに基づく動き補償制御等を行う。オーディオデコーダは、入力された符号化信号を復号して音声データを生成する。
【００２１】
映像処理回路８は、ＡＶデコーダ７から映像データを受け取ってＤ／Ａ変換を行い、例えばＮＴＳＣコンポジット信号に変換する。音声処理回路９は、ＡＶデコーダ７から出力された音声データを受け取ってＤ／Ａ変換を行い、例えば右（Ｒ）音のアナログ信号及び左（Ｌ）音のアナログ信号を生成する。
【００２２】
映像出力回路１０及び音声出力回路１１は出力抵抗や増幅器等を備えて成る。ＡＶ出力端子１２には、出力部（左右音声出力端子等や映像出力端子のセット）が設けられており、この出力部には、ディスプレイやスピーカを備えるモニタ１４が映像／音声コード１３によって接続される。
【００２３】
ＯＳＤ回路１９は、ＣＰＵ１７から出力指示された文字情報や色情報に基づくビットマップデータを加算器２０に出力する。加算器２０は前記ビットマップデータを映像データに組み込む処理を行う。上記ＯＳＤ回路１９により、ＥＰＧ表示、メニュー画面、各種設定画面の表示などが行えることになる。
【００２４】
リモコン送信機１５は、当該放送受信装置３０に指令を送出するための送信機である。このリモコン送信機１５に設けられた図示しないキーを操作すると、そのキーに対応した指令を意味する信号光（リモコン信号）が図示しない発光部から送出される。リモコン受光器１６は、前記信号光を受光し、これを電気信号に変換してＣＰＵ１７に与える。
【００２５】
メモリ（例えば、ＲＡＭ、ＲＯＭ、ＥＥＰＲＯＭ、フラッシュメモリ等）１８には、番組情報、ユーザ設定情報、ＣＰＵ１７により実行されるプログラム（後述する予約重複処理におけるプログラム等）、番組予約情報（開始時間、終了時間、受信チャンネル、録画／視聴の種別情報、重複予約となったときに用いる優先順位情報等）などが格納される。
【００２６】
ＣＰＵ１７は、このディジタル放送受信装置３０における全体制御を行うものであるが、特にこの発明にかかる処理として、予約番組の放送時間が重複した際における番組の選択、予約実行処理を行うようになっている。
【００２７】
ユーザは、リモコン送信機１５を操作して、例えば、メニュー画面より「予約重複時の優先順位設定」の項目を選択して優先順位設定画面を表示させる。この画面には、「スポーツ、映画、ドラマ、・・・」といった番組ジャンルが複数表示されており、ユーザはこれらのジャンルのなかからいずれかを選択して、優先順位（例えば、１位から５位）を決定する。これらのユーザ入力情報はＣＰＵ１７によってメモリ１８にユーザ設定情報として格納される。
【００２８】
ユーザによって番組予約処理が行なわれたとき、ＣＰＵ１７は当該番組の予約情報として、その開始時刻やチャンネル情報の他、当該番組のジャンル情報に基づいて判定した予約優先順位情報もメモリ１８に格納する。
【００２９】
図２は電子番組ガイドに対応付けてイベントリレーの発生及び重複予約発生を説明した説明図である。この図に示している現在時刻においてチャンネル１０１の番組Ａ（Ａ−１）の予約受信処理が実行中であり、また番組Ａの終了時刻である時刻Ｔに始まるチャンネル１０３の番組Ｂについて予約登録が行われているものとなっている。ここで、時刻Ｚにおいてチャンネル１０２で番組Ａの続き（Ａ−２）を放送する旨定義する情報を受信した場合、ＣＰＵ１７によってイベントリレーが確認されると共に番組Ｂと続き番組Ａ−２の放送時間が重複することが検出される。
【００３０】
図３は、イベントリレー発生時の予約番組調整処理を説明したフローチャートである。なお、ここでは番組の録画予約が行なわれている場合について説明している。番組録画予約を実行中に（ステップＳ１）、ＣＰＵ１７は当該番組についての番組情報を取得してイベントリレーの発生がないかを監視する（ステップＳ２）。イベントリレーが発生していない場合には、現在のイベント（番組）の終了時刻を監視し（ステップＳ３）、終了時刻となった場合にはステップＳ１０に進む。
【００３１】
イベントリレーの発生が確認された場合には（ステップＳ２でＹＥＳ）、ＣＰＵ１７は既存の予約番組と放送時間が重複していないかどうかを判断し（ステップＳ４）、重複していない場合には、ステップＳ８に進む。既存予約番組との予約重複が確認されたときには、予約実行中番組の予約番組情報として保持している予約優先順位情報と既存予約番組の予約番組情報として保持している優先順位情報との比較処理を実行する（ステップＳ５）。そして、ＣＰＵ１７は既存番組の優先順位が高いと判断したとき（ステップＳ６でＹＥＳ）、既存番組を次番組（予約対象番組）とする一方（ステップＳ７）、リレー番組の優先順位が高いと判断したときには（ステップＳ６でＮＯ）、リレー先番組を次番組とする（ステップＳ８）。そして、現在のイベントの終了時刻を確認し（ステップＳ９）、終了時刻となったときには、受信番組を前記次番組に切り替えることになる（ステップＳ１０）。
【００３２】
上記フローチャートでは、番組の録画予約が行なわれたことを想定し、予約対象番組を自動的に切り替ることとしたが、番組の視聴予約であったり、録画予約であっても受信装置がテレビＯＮ（映像表示状態）のときであれば、イベントリレーの発生で重複予約となったときに、例えば「番組Ａと番組Ｂの放送時間が重複することとなりました。優先順位が高い番組Ａの予約実行を行なってよろしいですか。」といったメッセージ及び「ＹＥＳ／ＮＯ」ボタンを一定時間ＯＳＤ表示することとし、ユーザが番組を選択できるようにしてもよい。このように、番組のジャンル情報に基づく予約優先順位を提示することでユーザの番組選択に関わる判断を助けることができる。更に、ユーザがいずれかの番組を選択できるので、ユーザの現在の意向を反映した番組選択（予約実行）を行うことができるようになる。なお、ユーザが一定時間（例えば、５〜１０秒適度）内に番組を選択しなかった場合には、優先順位の高い側の番組を選択することとしている。
【００３３】
重複番組のジャンルが同一であるために優先順位に差異を付けられない場合、或いは重複番組の双方が優先順位付けから外れているジャンルの番組であるような場合には、固定的にイベントリレー先の受信か又は既存予約番組の受信のどちらかを優先することとすればよい。
【００３４】
また、イベントリレーに限らず、同一チャンネルでの時間延長によって既存予約番組との重複が生じる場合にも同様の処理を行なうのがよい。更に、これらイベントリレー等とは別に、現在予約しようとしている番組が既存予約番組と重なる場合に、どちらの番組の優先順位が高いかを表示することにより、ユーザの番組選択に関わる判断を助けることができる。更に、例えば、予約が実行された側の放送が終了した時に、予約実行番組として選択されなかった側の番組が終了していないときには、この時点で、当該番組の放送の残り部分を受信（予約実行）するようにしてもよい。
【００３５】
【発明の効果】
以上説明したように、この発明によれば、予約対象番組の予約優先順位をジャンル情報に基づいて設定可能としたので、ユーザにとって望ましい予約実行を行うことができるという効果を奏する。
【図面の簡単な説明】
【図１】この発明の実施形態のディジタル放送受信装置を示したブロック図である。
【図２】電子番組ガイドに対応付けてイベントリレーの発生及び重複予約発生を説明した説明図である。
【図３】イベントリレー発生時の予約実行処理を説明したフローチャートである。
【符号の説明】
１    アンテナ
２    チューナ
３    デマルチプレクサ（ＤＥＭＵＸ）
７    ＡＶデコーダ
１７  ＣＰＵ
１８  メモリ
１９  ＯＳＤ回路
【図１】
2004208148.tif 000003
【図２】
2004208148.tif 000004
【図３】
2004208148.tif 000005